(57)【特許請求の範囲】
【請求項１】
ボーリング調査により採取したコアサンプルの条線観察に用いられる条線観察装置であって、
前記コアサンプルを収納するコア箱と、
前記コア箱に着脱可能に取り付けられるとともに、光源の位置、及び光源から光の照射角度を調整可能な照明器具と、
前記照明器具の光源の位置、及び光源からの光の照射角度を検出する検出手段とを備えていることを特徴とする条線観察装置。
【請求項２】
前記照明器具は、前記コア箱に着脱可能に取り付けられるとともに、自在に曲げ可能、かつ曲げた状態に保持可能なフレキシブル脚を有するフレキシブルスタンドと、
前記フレキシブルスタントによって支持されるとともに、自在に曲げ可能、かつ曲げた状態に保持可能なフレキシブルアームと、該フレキシブルアームに支持される前記光源とを有する器具本体とを備えていることを特徴とする請求項１に記載の条線観察装置。
【請求項３】
前記検出手段は、前記光源の水平方向の位置を検出する水平方向位置検出手段と、前記光源の高さ検出する高さ検出手段と、前記光源の照射角度を検出する照射角度検出手段と、前記光源の水平方向に対する方位を検出する方位検出手段とを備えていることを特徴とする請求項１又は２に記載の条線観察装置。
【請求項４】
前記水平方向位置手段は、物差しと下げ振りとからなり、前記高さ検出手段は、物差しと下げ振りとからなり、前記照射角度検出手段は、分度器と下げ振りとからなり、前記方位検出手段は、磁気コンパスからなることを特徴とする請求項３に記載の条線観察装置。
【請求項５】
前記照明器具は、コア箱の少なくとも２箇所に取り付けられることを特徴とする請求項１〜４の何れか１項に記載の条線観察装置。
【発明の詳細な説明】
【技術分野】
【０００１】
本発明は、条線観察装置に関し、特に、ボーリング調査により採取したコアサンプルの条線観察に有効な条線観察装置に関する。
【背景技術】
【０００２】
従来、発電所等の大規模の施設を構築する場合、地震が発生した場合にどの程度の規模のものになるか、また発生し得る地震に対してどの程度の耐震設計を施すべきか等を事前に把握しておくために、施設を構築する予定地周辺の活断層調査を行っている。
【０００３】
活断層調査の調査手法には、地質調査、トレンチ調査、ボーリング調査等があり、調査結果に基づいて求められた地質構造断面から、将来地震を引き起こす可能性のある活断層であるか否かの判断を行っている。
【０００４】
例えば、ボーリング調査による活断層調査においては、ボーリングにより採取した円柱状のコアサンプルを観察して、岩盤の面（岩盤自体や粘土部）に岩盤が動いた際に形成される条線（傷）を探す条線観察を行い、条線観察の結果に基づいて活断層であるか否かの判断を行っている。
【０００５】
ボーリングにより採取コアサンプルに対して条線観察を行う場合、例えば、採取現場において、一方の手で採取したコアサンプルを持ち、他方の手で照明器具を持ってコアサンプルに向けて光を当て、コアサンプルを回転させながら光の向きを調整することにより、条線の凹凸による陰影を強くして、条線の方向等を観察する作業を行っている。
【０００６】
上記のような手法によって条線観察を行う場合、コアサンプルの表面の条線が明瞭であう場合には、条線の凹凸による陰影を強くすることはできるが、条線が不明瞭な場合には、照明器具の光の向きを調整しても、条線の凹凸による陰影を強くすることができないため、条線方向等の条線観察を精度よく行うことが難しい。現場で条線を確認できた箇所のコアサンプルを採取して、検査室等の室内に持ち帰り、室内でコアサンプルをコア箱内に収納して、コア箱内のコアサンプルに対して例えば２方向から光を当てることにより、条線による凹凸の陰影を強くして、精度よく条線の観察を行っている。
【０００７】
このように、現場にて条線が確認できた場合でも、その部分のコアサンプルを採取して検査室等の室内に持ち帰り、室内でコアサンプルをコア箱内に収納して、コア箱内のコアサンプルに対して例えば２方向から光を当てることにより、条線の存在を再確認している。
【０００８】
しかし、条線が明瞭でない場合には、光の照射方向が微妙に変化すると、条線が観察できなくなるため、室内に持ち帰ったコアサンプルについて条線を再確認する場合、光の照射方向を現場と同じ方向に再現して条線観察を行うことが必要であるが、経験の浅い作業者ではそのような条線観察を正確に行うことは困難である。
【０００９】
ところで、特許文献１には、ボーリングコア試料をデジタルカメラで撮影し、撮影した画像をデジタルデータとして記録するように構成したボーリングコア試料類撮影装置が記載されている。このボーリングコア試料類撮影装置は、デジタルカメラを下向きに固定保持するスライダーを水平横方向に案内する直線ガイド部と、直線ガイド部をスライダーの移動方向に直交する水平縦方向に平行に案内する一対の平行案内部を有するデジタルカメラ移動装置を備え、このデジタルカメラ移動装置を床面上に載置し、平行案内部間の床面上に、直線ガイド部に平行に横長のコア箱を水平状に載置し、コア箱内にほぼ同軸状にボーリングコア試料を収容し、デジタルカメラを一定直線に沿って移動させて、ボーリングコア試料を一定直線に沿ってデジタルカメラで撮影し、撮影した画像をデジタルデータとして記録するように構成したものである。
【００１０】
しかし、このような撮影装置は、コア箱内のボーリングコア試料に対して上方のみから光を当てることになるため、条線が不明瞭である場合、条線の陰影を強くすることができないため、精度よく条線観察を行うことができない。また、装置が複雑で高価であるため条線観察に要する費用が高くつく。
【先行技術文献】
【特許文献】
【００１１】
【特許文献１】特開２０００−６５８２４号公報
【発明の概要】
【発明が解決しようとする課題】
【００１２】
本発明は、上記のような従来の問題に鑑みなされたものであって、現場で条線の観察ができたコアサンプルを室内等に持ち帰って再現して観察する場合に、経験の浅い作業者であっても、光の照射方向を現場で観察できた方向に再現して条線観察を行うことができるとともに、条線観察に要する費用を削減することができる条線観察装置を提供することを目的とする。
【課題を解決するための手段】
【００１３】
上記のような課題を解決するために、本発明は、以下のような手段を採用している。
すなわち、本発明は、ボーリング調査により採取したコアサンプルの条線観察に用いられる条線観察装置であって、前記コアサンプルを収納するコア箱と、前記コア箱に着脱可能に取り付けられるとともに、光源の位置、及び光源から光の照射角度を調整可能な照明器具と、前記照明器具の光源の位置、及び光源からの光の照射角度を検出する検出手段とを備えていることを特徴とする。
【００１４】
本発明の条線観察装置によれば、検出手段により、照明器具の光源の位置、及び光源からの光の照射角度を検出して、この検出したデータを照明器具をセットする際のセット条件とすることにより、現場で条線を観察することできたセット条件で室内でも照明器具をセットすることにより、現場で観察した条線を室内でも再現して観察することができる。従って、作業者の熟練度に関わらずに経験の浅い作業者であっても、現場で観察できた条線を室内でも再現して観察することができる。
【００１５】
また、本発明において、前記照明器具は、前記コア箱に着脱可能に取り付けられるとともに、自在に曲げ可能、かつ曲げた状態に保持可能なフレキシブル脚を有するフレキシブルスタンドと、前記フレキシブルスタントによって支持されるとともに、自在に曲げ可能、かつ曲げた状態に保持可能なフレキシブルアームと、該フレキシブルアームに支持される前記光源とを有する器具本体とを備えていることとしてもよい。
【００１６】
本発明の条線観察装置によれば、照明器具のフレキシブルスタンドのフレキシブル脚、及び器具本体のフレキシブルアームを所望の形状に折り曲げることにより、光源を所定の位置、照射角度にセットすることができ、光源のセットを容易に行うことができる。
【００１７】
また、本発明において、前記検出手段は、前記光源の水平方向の位置を検出する水平方向位置検出手段と、前記光源の高さ検出する高さ検出手段と、前記光源の照射角度を検出する照射角度検出手段と、前記光源の水平方向に対する方位を検出する方位検出手段とを備えていることとしてもよい。
【００１８】
本発明の条線観察装置によれば、水平方向位置検出手段により、光源の水平方向の位置を検出し、高さ検出手段により、光源の高さを検出し、照射角度検出手段により光源の照射角度を検出し、方位検出手段により、光源の水平方向の方位を検出することにより、精度良く条線観察を行うことができた際の光源のデータを取得することができる。
【００１９】
また、本発明において、前記水平方向位置手段は、物差しと下げ振りとからなり、前記高さ検出手段は、物差しと下げ振りとからなり、前記照射角度検出手段は、分度器と下げ振りとからなり、前記方位検出手段は、磁気コンパスからなることとしてもよい。
【００２０】
本発明の条線観察装置によれば、水平方向位置検出手段、高さ検出手段、照射角度検出手段、及び方位検出手段を構成する部材は、簡単な構造で安価なものであるので、設備費を削減することができ、条線観察に要する費用を削減することができる。
【００２１】
また、本発明において、前記照明器具は、コア箱の少なくとも２箇所に取り付けられることとしてもよい。
【００２２】
本発明の条線観察装置によれば、照明器具をコア箱の少なくとも２箇所に取り付けることにより、条線が不明瞭な場合でも、条線による凹凸の陰影を強くすることができるので、条線が不明瞭な場合であっても、条線観察を精度良く行うことができる。
【発明の効果】
【００２３】
以上、説明したように、本発明の条線観察装置によれば、室内に持ち帰ったコアサンプルについて条線を確認する場合に、経験の浅い作業者であっても、光の照射方向を現場と同じ方向に再現して条線観察を行うことができる。また、条線観察に要する費用を削減することができる。
【図面の簡単な説明】
【００２４】
【図１】本発明による条線観察装置の一実施の形態を示した概略図である。
【図２】検出手段の水平方向位置検出手段を示した概略図であって、コア箱の幅方向の距離を検出している状態を示した概略図である。
【図３】検出の水平方向位置検出手段を示した概略図であって、コア箱の長さ方向の距離を検出している状態を示した概略図である。
【図４】検出手段の高さ検出手段を示した概略図であって、コア箱の幅方向から見た概略図である。
【図５】検出手段の高さ検出手段を示した概略図であって、コア箱の長さ方向から見た概略図である。
【図６】検出手段の方位検出手段を示した概略図である。
【図７】図６のＡ部の拡大図である。
【図８】検出手段の照射角度検出手段を示した概略図である。
【発明を実施するための形態】
【００２５】
以下、図面を参照しながら本発明の実施の形態について説明する。
図１〜図８には、本発明の条線観察装置の一実施の形態が示されている。
本実施の形態の条線観察装置は、ボーリング調査により採取したコアサンプルの条線観察に適用されるものであって、例えば、ボーリング調査による活断層調査において、ボーリングにより採取したコアサンプルを観察して、岩盤の面（岩盤自体や粘土部）に岩盤が動いた際に形成される条線（傷）を探す条線観察に適用される。
【００２６】
条線観察装置１は、図１に示すように、採取したコアサンプル９を収納するコア箱２と、コア箱２に着脱可能に取り付けられて、コア箱２内に収納したコアサンプル９に向けて光を照射する照明器具１０と、照明器具１０の光源１２の位置及び光源からの光の照射角度を検出する検出手段２０とを備えている。
【００２７】
コア箱２は、前板３と後板４と２枚の側板５と底板６とからなる上部が開口された四角形箱状をなすものであって、内側に円柱状のコアサンプル９を収納するための上部が開口された四角形状の空間である収納室８が形成されている。
【００２８】
コア箱２の前板３の上面、後板４の上面、及び両側板５の上面には、それぞれ目盛７が付され、この目盛７が付された前板３、後板４、又は側板５の上部に照明器具１０が取り付けられるようになっている。目盛７は、例えば１ｃｍ単位の目盛７であって、この目盛７を読み取ることにより、照明器具１０のコア箱２の前板３、後板４、及び側板５への取付位置が検出される。
【００２９】
なお、コア箱２の前板３と後板４との間に複数の仕切り板（図示せず）を設けて、コア箱２の内部を複数の収納室８に区画し、各収納室８内にコアサンプル９を収納するように構成してもよい。
【００３０】
照明器具１０は、一対の光源１２と、両光源１２をそれぞれ個別に支持するフレキシブルアーム１３と、両フレキシブルアーム１３を支持する支持部１４とからなる器具本体１１と、器具本体１１を支持するフレキシブルスタンド１６とから構成されている。
【００３１】
フレキシブルスタンド１６は、コア箱２の前板３、後板４、又は側板５に着脱可能に取り付けられるクランプ等の固定金具１７と、固定金具１７に取り付けられるフレキシブル脚１８とからなり、フレキシブル脚１８の上端に器具本体１１の支持部１４が取り付けられるようになっている。
【００３２】
フレキシブルアーム１３及びフレキシブル脚１８は、自在に曲げ可能、かつ曲げた状態に保持可能な棒状又は管状の部材であって、例えば、ステンレス等の金属材料により形成されたインターロックチューブ等が用いられる。
【００３３】
フレキシブルスタンド１６の固定金具１７をコア箱２の前板３、後板４、又は側板５に取り付けることにより、コア箱２の上方に照明器具１０の光源１２を配置することができ、この光源１２からコア箱２内のコアサンプル９に向けて光を照射させることにより、サンプル９の表面の条線観察を行うことができる。この場合、フレキシブルスタンド１６のフレキシブル脚１８及び器具本体１１のフレキシブルアーム１３を所望の形状に曲げることにより、光源１２をコア箱２の上方の所定の位置に配置できるとともに、光源１２からの光の照射角度を所定の角度に調整することができる。
【００３４】
検出手段２０は、光源１２のコア箱２に対する相対的な位置、及び光源１２からの光の照射角度を検出するものであって、図２〜図８に示すように、例えば、器具本体１１の支持部１４のコア箱２に対する水平方向の相対的な位置を検出する水平方向位置検出手段２１と、光源１２の高さを検出する高さ検出手段２２と、光源１２の水平方向の方位を検出する方位検出手段２４と、光源１２から照射する光の照射角度を検出する照射角度検出手段２３とから構成されている。
【００３５】
上記のように構成した本実施の形態の条線観察装置１によってコアサンプル９の条線観察を行うには、図１に示すように、現場において作業台等の上部にコア箱２を載置し、コア箱２の収納室８内にボーリング調査により採取したコアサンプル９を収納し、例えば、コア箱２の側板５の上部と後板４の上部の２箇所にそれぞれ照明器具１０を取り付ける。
【００３６】
次に、各照明器具１０のフレキシブル脚１８及びフレキシブルアーム１３をそれぞれ所望の形状に曲げて、各光源１２のコア箱２に対する水平方向の位置、各光源１２の高さ、各光源１２の水平方向の方位、各光源１２からの光の照射角度を最適に調整し、各光源１２からコアサンプル９に向けて光を照射することにより、岩盤の面（岩盤自体や粘土部）に形成されている条線（傷）を探す条線観察を行う。
【００３７】
この場合、条線の存在を観察することができたときの照明器具１０のセット条件を検出し、このセット条件をコアサンプル９を検査室等の室内に持ち帰って条線を再現して観察する際の照明器具１０のセット条件として使用する。
具体的には、図２〜図８に示すように、現場でコアサンプル９の表面の条線を観察できたときの各照明器具１０のコア箱２に対するセット条件を、検出手段２０によって各光源１２のコア箱２に対する水平方向の位置、各光源１２の高さ、各光源１２の水平方向の方位、各光源１２からの光の照射角度を検出することによって求める。
【００３８】
水平方向の位置を検出するには、図２及び図３に示すように、まず、コア箱２の上部の目盛７を読むことによってコア箱２への照明器具１０の取付位置を検出する。
次に、フレキシブル脚１８の支持部１４との連結部１９に水平方向位置検出手段２１の下げ振り２６の糸２７を固定して垂球２８を垂らし、コア箱２の上面に水平方向位置検出手段２１の物差し２５を水平に当てて、物差し２５によってコア箱２上の固定金具１７から垂球２８までの水平方向の距離ａ１、ａ２を計測する。この作業は、コア箱２の幅方向及び長さ方向について行う。これにより、照明器具本体１１を支持する支持部１４のコア箱２に対する水平方向（コア箱２の幅方向、長さ方向）の相対的な位置を検出する。
【００３９】
次に、図４及び図５に示すように、各光源１２に高さ検出手段２２の下げ振り２６の糸２７を固定して垂球２８を垂らし、コア箱２の上面に平板２９を水平に当てて、平板２９の上面に垂球２８の先端を接触させ、高さ検出手段２２の物差し２５によって平板２９から各光源１２までの距離を測ることにより、各光源１２のコア箱２からの高さｈ１、ｈ２を検出する。
【００４０】
次に、図６及び図７に示すように、各フレキシブルアーム１３と支持部１４との連結部１５の上部に方位検出手段２４の磁気コンパス３０を当てて、磁気コンパス３０のベース３１の矢印３２を光源１２と連結部１５とを結ぶ線に合わせ、リング３３の矢印３４を磁針３５の北に合わせ、リング３３の方位の度数目盛を読み取ることにより、ベース３１の矢印の方位、つまり、各光源１２から照射する光を上から見たときの方位を検出する。
【００４１】
次に、図８に示すように、各フレキシブルアーム１３と支持部１４との連結部１５に照射角度検出手段２３の下げ振り２６の糸２７を固定し、この糸２７とフレキシブルアーム１３との間に照射角度検出手段２３の分度器３６を当てて、分度器３６の角度を読み取ることにより、フレキシブルアーム１３の鉛直方向に対する角度、つまり、各光源１２から照射する光の鉛直方向に対する角度を検出する。
【００４２】
これにより、照明器具１０のコア箱２への取付位置、照明器具１０の光源１２のコア箱２に対する水平方向の位置、及び高さを検出することができるとともに、光源１２から照射される光の３次元的な照射方向を検出することができ、これらの検出したデータを、条線が観察できた照明器具１０のセット条件とし、このセット条件をコアサンプル９を室内に持ち帰って条線を再現して観察する際に、照明器具１０をセットする際のセット条件とする。
【００４３】
これにより、コアサンプル９を現場から室内に持ち帰って、現場で条線を観察できた照明器具１０のセット条件と同一条件で室内で照明器具１０をセットして、現場で観察できた条線を室内でも再現させて観察することができる。
【００４４】
上記のように構成した本実施の形態の条線観察装置１にあっては、コア箱２の収納室８内に収納したコアサンプル９の条線観察を行う場合に、現場で条線を観察することできた照明器具１０のセット条件（照明器具１０のコア箱２への取付位置、光源１２の水平方向の位置、高さ、水平方向の方位、及び照射角度）を検出手段２０によって検出し、この検出した照明器具１０のセット条件を、室内で条線を再現して観察を行う際に、照明器具１０のセット条件として使用することにより、現場で観察できた条線を室内でも容易に再現して観察することができる。
従って、作業者の熟練度に関わらず、経験の浅い作業者であっても現場で観察できた条線を室内でも再現して観察することができる。
【００４５】
また、光源１２と、フレキシブルアーム１３と、支持部１４とからなる器具本体１１と、固定金具１７と、フレキシブル脚１８とからなるフレキシブルスタンド１６とを備えた簡単な構造のものであるので、設備費を削減することができ、条線観察に要する費用を削減することができる。
【符号の説明】
【００４６】
１  条線観察装置
２  コア箱
３  前板
４  後板
５  側板
６  底板
７  目盛
８  収納室
９  コアサンプル
１０  照明器具
１１  器具本体
１２  光源
１３  フレキシブルアーム
１４  支持部
１５  連結部
１６  フレキシブルスタンド
１７  固定金具
１８  フレキシブル脚
１９  連結部
２０  検出手段
２１  水平方向位置検出手段
２２  高さ検出手段
２３  照射角度検出手段
２４  方位検出手段
２５  物差し
２６  下げ振り
２７  糸
２８  垂球
２９  平板
３０  磁気コンパス
３１  ベース
３２  矢印
３３  リング
３４  矢印
３５  磁針
３６  分度器
【図１】
0006684427.tif 000002
【図２】
0006684427.tif 000003
【図３】
0006684427.tif 000004
【図４】
0006684427.tif 000005
【図５】
0006684427.tif 000006
【図６】
0006684427.tif 000007
【図７】
0006684427.tif 000008
【図８】
0006684427.tif 000009